(57)【要約】【課題】防振装置を防振装置用ブラケットに強固に固定することができる防振装置用ブラケットを提供する。【解決手段】第１ブッシュ２１および第２ブッシュ２２と、第１ブッシュ２１と第２ブッシュ２２とを互いに連結する連結ロッド２３と、を備えた防振装置２が固定される防振装置用ブラケット１であって、第１ブッシュ２１における連結筒部２１Ａの開口端縁２１Ｄが取付けられる取付面１１を有し、取付面１１には、連結筒部２１Ａの開口端縁２１Ｄを、取付面１１に取付ける締結部材が、連結筒部２１Ａの内側を通して挿入される挿入孔１２が形成され、取付面１１と、ロッド軸方向に隣り合う部分には、第１ブッシュ２１と、ロッド軸方向に近接する支持突部１４が形成され、支持突部１４を、ロッド軸方向に挟む取付面１１の反対側に位置する部分には、支持突部１４に接続された補強リブ１６が形成されている。【選択図】図１
2019090516.tif 000002
【特許請求の範囲】
【請求項１】
振動発生部および振動受部のうちのいずれか一方に連結される第１ブッシュ、および他方に連結される第２ブッシュと、前記第１ブッシュと前記第２ブッシュとを互いに連結する連結ロッドと、を備えた防振装置が固定される防振装置用ブラケットであって、
前記第１ブッシュおよび前記第２ブッシュのうちのいずれか一方における連結筒部の開口端縁が取付けられる取付面を有し、
前記取付面には、前記連結筒部の開口端縁を前記取付面に取付ける締結部材が、前記連結筒部の内側を通して挿入される挿入孔が形成され、
前記取付面と、前記連結ロッドの中心軸線に沿うロッド軸方向に隣り合う部分には、前記第１ブッシュおよび前記第２ブッシュのうちのいずれか一方と、前記ロッド軸方向に当接或いは近接する支持突部が形成され、
前記支持突部を、前記ロッド軸方向に挟む前記取付面の反対側に位置する部分には、前記支持突部に接続された補強リブが形成されていることを特徴とする防振装置用ブラケット。
【請求項２】
前記取付面と前記支持突部との接続部分には、前記挿入孔の中心軸線に沿う孔軸方向に窪む逃げ部が形成されていることを特徴とする請求項１に記載の防振装置用ブラケット。
【請求項３】
前記挿入孔の中心軸線に沿う孔軸方向、および前記ロッド軸方向の両方向に沿う断面視において、前記支持突部は、前記ロッド軸方向に沿う前記取付面側を向き、かつ前記孔軸方向に延びる内側面を有し、
前記内側面における前記孔軸方向の外端部は、前記孔軸方向の外側に向かうに従い漸次、前記ロッド軸方向に沿う前記取付面の反対側に向けて延びていることを特徴とする請求項１又は２に記載の防振装置用ブラケット。
【請求項４】
前記支持突部は、前記取付面を前記ロッド軸方向に挟む位置に各別に配置されていることを特徴とする請求項１から３のいずれか１項に記載の防振装置用ブラケット。
【発明の詳細な説明】
【技術分野】
【０００１】
本発明は、防振装置用ブラケットに関する。
【背景技術】
【０００２】
従来から、振動発生部および振動受部のうちのいずれか一方に連結される第１ブッシュ、および他方に連結される第２ブッシュと、第１ブッシュと第２ブッシュとを互いに連結する連結ロッドと、を備えた防振装置が固定される防振装置用ブラケットとして、第１ブッシュおよび第２ブッシュのうちのいずれか一方における連結筒部の開口端縁が取付けられる取付面が形成されるとともに、取付面に挿入孔が形成された構成が知られている。
【０００３】
そして、このような防振装置用ブラケットとして、例えば下記特許文献１に示されるように、連結筒部の内側を通して挿入孔に挿入された締結部材が締結されることにより、取付面に第１ブッシュの連結筒部の開口端縁が取付けられ、この防振装置用ブラケットに防振装置が固定された構成が知られている。
【先行技術文献】
【特許文献】
【０００４】
【特許文献１】特開２００５−１８８５７５号公報
【発明の概要】
【発明が解決しようとする課題】
【０００５】
しかしながら、従来では、防振装置を防振装置用ブラケットに固定する際に、防振装置が、締結部材とともに防振装置用ブラケットに対して共回りして孔周方向に相対回転することがあり、例えば防振装置を防振装置用ブラケットに強固に固定することが困難である等の問題があった。
【０００６】
本発明は前記事情に鑑みてなされたもので、防振装置を防振装置用ブラケットに強固に固定することができる防振装置用ブラケットを提供することを目的とする。
【課題を解決するための手段】
【０００７】
前記課題を解決するために、本発明の防振装置用ブラケットは、振動発生部および振動受部のうちのいずれか一方に連結される第１ブッシュ、および他方に連結される第２ブッシュと、前記第１ブッシュと前記第２ブッシュとを互いに連結する連結ロッドと、を備えた防振装置が固定される防振装置用ブラケットであって、前記第１ブッシュおよび前記第２ブッシュのうちのいずれか一方における連結筒部の開口端縁が取付られる取付面を有し、前記取付面には、前記連結筒部の開口端縁を、前記取付面に取付ける締結部材が、前記連結筒部の内側を通して挿入される挿入孔が形成され、前記取付面と、前記連結ロッドの中心軸線に沿うロッド軸方向に隣り合う部分には、前記第１ブッシュおよび前記第２ブッシュのうちのいずれか一方と、前記ロッド軸方向に当接或いは近接する支持突部が形成され、前記支持突部を、前記ロッド軸方向に挟む前記取付面の反対側に位置する部分には、前記支持突部に接続された補強リブが形成されていることを特徴とする。
【０００８】
本発明によれば、取付面とロッド軸方向に隣り合う部分に支持突部が形成されているので、支持突部により、防振装置をロッド軸方向に支持させることが可能になり、防振装置が、防振装置用ブラケットに対して、挿入孔の中心軸線回りに周回する孔周方向に相対回転するのを抑制することができる。これにより、防振装置を防振装置用ブラケットに固定する際に、防振装置が締結部材とともに、防振装置用ブラケットに対して共回りするのを抑制することが可能になり、防振装置を防振装置用ブラケットに強固に固定することができる。
また、防振装置の締結部材との共回りを抑制できることから、防振装置を防振装置用ブラケットに固定する際に、防振装置の連結筒部に固着された弾性体が孔周方向にねじれるのを抑制することが可能になり、例えば所期した減衰特性が得られなくなったり、弾性体の耐久性が低下したりするのを抑制すること等ができる。
【０００９】
また、支持突部により、防振装置をロッド軸方向に支持させることができることから、振動発生部から防振装置に加えられるロッド軸方向の外力を、支持突部により受け止めさせることが可能になり、振動発生部から防振装置に加えられる振動に起因して、防振装置が、防振装置用ブラケットに対してロッド軸方向に相対変位するのを抑制することができる。これにより、防振装置の防振装置用ブラケットに対する締付力が緩むのを抑制することができる。
また、支持突部をロッド軸方向に挟む取付面の反対側に位置する部分に補強リブが形成されているので、振動発生部から防振装置に加えられる振動を、支持突部のみならず、補強リブでも受け止めさせることが可能になり、仮にロッド軸方向の大きな外力が防振装置に加えられたとしても、支持突部が変形等するのを抑えることができる。
【００１０】
また、前記取付面と前記支持突部との接続部分には、前記挿入孔の中心軸線に沿う孔軸方向に窪む逃げ部が形成されてもよい。
この場合には、取付面と支持突部との接続部分に逃げ部が形成されているので、支持突部における孔軸方向の内端部に連なる隅肉部を、前記接続部分から排除することができる。このため、振動発生部から防振装置に加えられる振動に起因して、防振装置が、防振装置用ブラケットに対してロッド軸方向に相対変位することで、防振装置の連結筒部が隅肉部に乗り上がることがない。したがって、振動発生部から防振装置に加えられる振動に起因して、防振装置の連結筒部に、局所的に孔軸方向の大きな圧縮荷重がかかるのを抑えることが可能になり、連結筒部が座屈するのを抑制することができる。
【００１１】
また、前記挿入孔の中心軸線に沿う孔軸方向、および前記ロッド軸方向の両方向に沿う断面視において、前記支持突部は、前記ロッド軸方向に沿う前記取付面側を向き、かつ前記孔軸方向に延びる内側面を有し、前記内側面における前記孔軸方向の外端部は、前記孔軸方向の外側に向かうに従い漸次、前記ロッド軸方向に沿う前記取付面の反対側に向けて延びてもよい。
この場合には、支持突部の内側面における孔軸方向の外端部が、孔軸方向の外側に向かうに従い漸次、ロッド軸方向に沿う取付面の反対側に向けて延びているので、支持突部の内側面のうち、防振装置をロッド軸方向に支持する部分を、孔軸方向の外端部を除く部分に限定することが可能になり、このように防振装置を支持する部分の孔軸方向の大きさを小さく抑えることができる。このため、振動発生部から防振装置に加えられたロッド軸方向に沿う取付面の反対側に向けた外力を、支持突部が受け止めた際に、支持突部に生じる孔軸方向の内端部回りのモーメントを低減することが可能になり、仮にロッド軸方向の大きな外力が防振装置に加えられた場合においても、支持突部が変形等するのを確実に抑えることができる。
【００１２】
また、支持突部の内側面における孔軸方向の外端部が、孔軸方向の外側に向かうに従い漸次、ロッド軸方向に沿う取付面の反対側に向けて延びているので、防振装置を防振装置用ブラケットに固定する際に、連結筒部の開口端縁が、支持突部の孔軸方向の外端部に突き当たるのを抑えることが可能になり、防振装置の防振装置用ブラケットへの固定作業を容易に行うことができる。
【００１３】
また、前記支持突部は、前記取付面を前記ロッド軸方向に挟む位置に各別に配置されてもよい。
この場合には、支持突部が、防振装置用ブラケットにおいて、取付面をロッド軸方向に挟む位置に各別に配置されているので、振動発生部から防振装置に加えられるロッド軸方向に沿う両方向の外力を、一対の支持突部により、それぞれ受け止めさせることができる。これにより、防振装置の防振装置用ブラケットに対する締付力が緩むのを、より一層効果的に抑制することができる。
【発明の効果】
【００１４】
本発明によれば、防振装置を防振装置用ブラケットに強固に固定することができる。
【図面の簡単な説明】
【００１５】
【図１】本発明の一実施形態に係る防振装置用ブラケットに防振装置が固定された状態を示す正面図である。
【図２】図１に示す防振装置用ブラケットの上面図である。
【図３】図２に示す防振装置用ブラケットのＡ−Ａ線矢視断面における拡大図である。
【発明を実施するための形態】
【００１６】
以下、本発明の一実施形態に係る防振装置用ブラケット１について、図面を用いて説明する。
図１に示すように、防振装置用ブラケット１には、振動発生部および振動受部のうちのいずれか一方に連結される第１ブッシュ２１、および他方に連結される第２ブッシュ２２と、第１ブッシュ２１と第２ブッシュ２２とを互いに連結する連結ロッド２３と、を備えた防振装置２が固定される。連結ロッド２３は、長手方向の一端部に第１ブッシュ２１が連結され、他端部に第２ブッシュ２２が連結された軸状をなしている。以下、連結ロッド２３の中心軸線Ｏ１に沿う方向をロッド軸方向という。
【００１７】
第１ブッシュ２１および第２ブッシュ２２はそれぞれ、連結筒部２１Ａ、２２Ａと、内側に連結筒部２１Ａ、２２Ａが配置され、かつ連結ロッド２３に連結された囲繞筒部２１Ｂ、２２Ｂと、連結筒部２１Ａ、２２Ａと囲繞筒部２１Ｂ、２２Ｂとを弾性的に連結する弾性体２１Ｃ、２２Ｃと、を備えている。図示の例では、第１ブッシュ２１の連結筒部２１Ａにおける中心軸線Ｏ２、および第２ブッシュ２２の連結筒部２２Ａにおける中心軸線Ｏ３は、互いに直交する方向に延びるとともに、それぞれ中心軸線Ｏ１と直交している。
【００１８】
防振装置２が例えば自動車に装着される場合、例えば、第１ブッシュ２１が防振装置用ブラケット１を介して、振動発生部としてのエンジン等に連結され、第２ブッシュ２２が振動受部としての車体等に連結される。防振装置２を自動車に装着することで、エンジンからの振動が車体に伝達することが抑えられる。
【００１９】
防振装置用ブラケット１は、第１ブッシュ２１および第２ブッシュ２２のうちのいずれか一方における連結筒部２１Ａ、２２Ａの開口端縁が取付けられる取付面１１を有している。図示の例では、第１ブッシュ２１における連結筒部２１Ａの開口端縁２１Ｄが、取付面１１に取付けられている。
取付面１１には、連結筒部２１Ａの開口端縁２１Ｄを、取付面１１に取付ける締結部材（図示せず）が、連結筒部２１Ａの内側を通して挿入される挿入孔１２が形成されている。
【００２０】
挿入孔１２は、連結筒部２１Ａの中心軸線Ｏ２と同軸に配置されている。以下の説明において、この中心軸線Ｏ２に沿う方向を孔軸方向といい、孔軸方向のうち、取付面１１が向く側を、孔軸方向の一方側といい、その逆側を、孔軸方向の他方側という。また、図２に示されるような、孔軸方向から見た上面視において、前記中心軸線Ｏ２回りに周回する方向を孔周方向という。
【００２１】
図示の例では、挿入孔１２の内周面に雌ねじ部が形成され、締結部材の外周面に形成された雄ねじ部が、挿入孔１２の雌ねじ部と螺合する。なお、例えば、挿入孔１２を孔軸方向に挟む取付面１１の反対側にナットを配設し、このナットに締結部材が締結されることで、連結筒部２１Ａの開口端縁２１Ｄが、取付面１１に取付けられてもよい。
【００２２】
図２に示すように、防振装置用ブラケット１は、前記上面視で、一対の辺がロッド軸方向に延び、かつ残り一対の辺がロッド軸方向と直交する方向に延びる矩形状を呈する。防振装置用ブラケット１は、前記上面視で、ロッド軸方向と直交する方向よりも、ロッド軸方向に大きくなっている。以下、前記上面視で、ロッド軸方向と直交する方向を短辺方向という。
また図１に示すように、防振装置用ブラケット１には、孔軸方向の一方側に向けて突出し、かつ短辺方向から見た正面視で台形状をなす張出部１０が形成されている。張出部１０は、防振装置用ブラケット１におけるロッド軸方向の中央部に配置されている。
【００２３】
張出部１０における孔軸方向の一方側の端部には、前述した取付面１１が形成されている。取付面１１は、前記中心軸線Ｏ２と直交し、孔軸方向の一方側を向く平坦状をなしている。
ここで、第１ブッシュ２１の連結筒部２１Ａは、前記上面視で円形状をなしている。第２ブッシュ２２の連結筒部２２Ａは、前記正面視でロッド軸方向に長い長円形状をなしている。
取付面１１のロッド軸方向の大きさは、連結筒部２１Ａの外径と同等となっている。取付面１１の短辺方向の大きさは、連結筒部２１Ａの外径よりも大きくなっている。
【００２４】
図２に示すように、防振装置用ブラケット１のロッド軸方向における両端部には、この防振装置用ブラケット１を孔軸方向に貫く固定孔１３が各別に形成されている。防振装置用ブラケット１における各固定孔１３の開口周縁部には、孔軸方向に窪むとともに、締結部材の頭部が配置されるザグリ孔が各別に形成されている。
図示の例では、防振装置用ブラケット１のロッド軸方向の端部に、２つの固定孔１３が短辺方向に間隔をあけて配置されている。なお、このような態様に限られず、固定孔１３の配置される位置および数量については、任意に変更可能である。
防振装置用ブラケット１は、例えばアルミニウム材料を用いたダイキャスト成形等により形成される。なお、このような態様に限られず、防振装置用ブラケット１は、他の金属材料により形成されてもよいし、他の製法により形成されてもよい。
【００２５】
そして本実施形態では、図１に示すように、取付面１１とロッド軸方向に隣り合う部分に、第１ブッシュ２１および第２ブッシュ２２のうちのいずれか一方と、ロッド軸方向に当接或いは近接する支持突部１４が形成されている。図示の例では、支持突部１４は、第１ブッシュ２１における連結筒部２１Ａとロッド軸方向に近接している。
なお、図示の例では、弾性体２１Ｃの孔軸方向の両側から、孔軸方向の外側に連結筒部２１Ａが各別に突出しているが、このような態様に限られない。連結筒部２１Ａの外周面を被覆ゴムにより被覆して、被覆ゴムが支持突部１４とロッド軸方向に近接してもよい。このような構成を採用することで、振動発生部から防振装置２に加えられる振動に起因して、第１ブッシュ２１と支持突部１４とがロッド軸方向に当接した際に発生する音および衝撃力を小さく抑えることができる。また、被覆ゴムは、弾性体２１Ｃと一体に形成してもよい。
また、支持突部１４は、第１ブッシュ２１の連結筒部２１Ａとロッド軸方向に当接してもよい。
【００２６】
図２に示すように、支持突部１４は、取付面１１をロッド軸方向に挟む位置に各別に配置され、短辺方向に延びる条状に形成されている。一対の支持突部１４それぞれにおける短辺方向の大きさは、互いに同等となっている。なお、このような態様に限られず、一対の支持突部１４それぞれにおける短辺方向の大きさが、互いに異なっていてもよい。
図１に示すように、一対の支持突部１４それぞれにおける前記正面視形状は、中心軸線Ｏ２を基準として、対称となっている。なお、このような態様に限られず、一対の支持突部１４それぞれにおける前記正面視形状が、中心軸線Ｏ２を基準として、非対称であってもよい。
【００２７】
図３に示すように、孔軸方向、およびロッド軸方向の両方向に沿う断面視において、支持突部１４は、ロッド軸方向に沿う取付面１１側を向き、かつ孔軸方向に延びる内側面１４Ａを有している。一対の支持突部１４における内側面１４Ａ同士は、ロッド軸方向に互いに対向している。図示の例では、内側面１４Ａのうち、孔軸方向の他方側に位置する部分は、孔軸方向に真直ぐ延びている。
なお、内側面１４Ａのうち、孔軸方向の他方側に位置する部分は、孔軸方向の一方側に向かうに従い漸次、ロッド軸方向に沿う取付面１１の反対側に向けて、僅かに傾斜してもよい。その孔軸方向に対する傾斜角度を、例えば約１．５°以下程度にしてもよい。この場合、防振装置用ブラケット１を、成形金型から脱型する際、コア型を防振装置用ブラケット１における一対の支持突部１４同士の間から容易に抜き出すことができる。
【００２８】
また本実施形態では、内側面１４Ａにおける孔軸方向の一方側の端部が、孔軸方向の一方側に向かうに従い漸次、ロッド軸方向に沿う取付面１１の反対側に向けて延びている。図示の例では、内側面１４Ａにおける孔軸方向の一方側の端部が、内側面１４Ａのうち、孔軸方向の他方側に位置する部分と、孔軸方向に連なっている。
取付面１１から支持突部１４の内側面１４Ａにおける前記一方側の端部までの孔軸方向の大きさは、内側面１４Ａ全体の孔軸方向の大きさの半分よりも小さくなっている。なお、このような態様に限られず、取付面１１から支持突部１４における前記一方側の端部までの孔軸方向の大きさは、支持突部１４全体の孔軸方向の大きさの半分以上であってもよい。
【００２９】
また本実施形態では、取付面１１と支持突部１４との接続部分に、孔軸方向に窪む逃げ部１５が形成されている。図２に示すように、逃げ部１５は溝状をなし、取付面１１と支持突部１４との接続部分における短辺方向の全域にわたって延びている。
逃げ部１５の短辺方向の大きさは、支持突部１４の短辺方向の大きさよりも大きくなっている。
【００３０】
図３に示すように、前記断面視において、逃げ部１５は、孔軸方向の他方側に向けて窪む曲線状に形成されている。
逃げ部１５の孔軸方向の大きさは、支持突部１４の孔軸方向の大きさよりも小さくなっている。逃げ部１５の内面は、支持突部１４の内側面１４Ａと、孔軸方向に段差なく連なっている。
【００３１】
また本実施形態では、図１および図３に示すように、支持突部１４を、ロッド軸方向に挟む取付面１１の反対側に位置する部分には、支持突部１４に接続された補強リブ１６が形成されている。補強リブ１６は、張出部１０のうち、孔軸方向の一方側に位置する部分に配置されている。
図２に示すように、補強リブ１６のロッド軸方向の大きさは、短辺方向の大きさよりも大きくなっている。補強リブ１６の短辺方向の大きさは、ロッド軸方向に沿って支持突部１４から離れるに従い漸次、小さくなっている。
【００３２】
補強リブ１６および支持突部１４は、ロッド軸方向に互いに接続されている。補強リブ１６における支持突部１４との接続部分、および支持突部１４それぞれにおける短辺方向の大きさは、互いに同等となっている。補強リブ１６のロッド軸方向の大きさは、支持突部１４のロッド軸方向の大きさよりも大きくなっている。
補強リブ１６は支持突部１４と一体に形成され、ロッド軸方向に延びている。補強リブ１６の外表面は、支持突部１４の外表面とロッド軸方向に段差なく連なっている。
【００３３】
一対の支持突部１４および補強リブ１６それぞれにおける前記上面視形状は、前記上面視で中心軸線Ｏ２を通り、かつ短辺方向に延びる基準線Ｌに対して、対称な形状をなしている。なお、このような態様に限られず、一対の支持突部１４および補強リブ１６それぞれにおける前記上面視形状が、基準線Ｌに対して、非対称であってもよい。
【００３４】
以上説明したように、本実施形態に係る防振装置用ブラケット１によれば、取付面１１とロッド軸方向に隣り合う部分に支持突部１４が形成されているので、支持突部１４により、防振装置２をロッド軸方向に支持させることが可能になり、防振装置２が、防振装置用ブラケット１に対して、挿入孔１２の中心軸線回りに周回する孔周方向に相対回転するのを抑制することができる。これにより、防振装置２を防振装置用ブラケット１に固定する際に、防振装置２が締結部材とともに、防振装置用ブラケット１に対して共回りするのを抑制することが可能になり、防振装置２を防振装置用ブラケット１に強固に固定することができる。
また、防振装置２の締結部材との共回りを抑制できることから、防振装置２を防振装置用ブラケット１に固定する際に、防振装置２の連結筒部２１Ａに固着された弾性体２１Ｃが孔周方向にねじれるのを抑制することが可能になり、例えば所期した減衰特性が得られなくなったり、弾性体２１Ｃの耐久性が低下したりするのを抑制すること等ができる。
【００３５】
また、支持突部１４により、防振装置２をロッド軸方向に支持させることができることから、振動発生部から防振装置２に加えられるロッド軸方向の外力を、支持突部１４により受け止めさせることが可能になり、振動発生部から防振装置２に加えられる振動に起因して、防振装置２が、防振装置用ブラケット１に対してロッド軸方向に相対変位するのを抑制することができる。これにより、防振装置２の防振装置用ブラケット１に対する締付力が緩むのを抑制することができる。
【００３６】
また、支持突部１４をロッド軸方向に挟む取付面１１の反対側に位置する部分に補強リブ１６が形成されているので、振動発生部から防振装置２に加えられる振動を、支持突部１４のみならず、補強リブ１６でも受け止めさせることが可能になり、仮にロッド軸方向の大きな外力が防振装置２に加えられたとしても、支持突部１４が変形等するのを抑えることができる。
【００３７】
また、取付面１１と支持突部１４との接続部分に逃げ部１５が形成されているので、支持突部１４における孔軸方向の内端部に連なる隅肉部を、前記接続部分から排除することができる。このため、振動発生部から防振装置２に加えられる振動に起因して、防振装置２が、防振装置用ブラケット１に対してロッド軸方向に相対変位することで、防振装置２の連結筒部２１Ａが隅肉部に乗り上がることがない。したがって、振動発生部から防振装置２に加えられる振動に起因して、防振装置２の連結筒部２１Ａに、局所的に孔軸方向Ｏ２の大きな圧縮荷重がかかるのを抑えることが可能になり、連結筒部２１Ａが座屈するのを抑制することができる。
【００３８】
また、支持突部１４の内側面１４Ａにおける孔軸方向の一方側の端部が、孔軸方向の一方側に向かうに従い漸次、ロッド軸方向に沿う取付面１１の反対側に向けて延びているので、支持突部１４の内側面１４Ａのうち、防振装置２をロッド軸方向に支持する部分を、孔軸方向の一方側の端部を除く部分に限定することが可能になり、このように防振装置２を支持する部分の孔軸方向の大きさを小さく抑えることできる。このため、振動発生部から防振装置２に加えられたロッド軸方向に沿う取付面１１の反対側に向けた外力を、支持突部１４が受け止めた際に、支持突部１４に生じる孔軸方向の内端部回りのモーメントを低減することが可能になり、仮にロッド軸方向の大きな外力が防振装置２に加えられた場合においても、支持突部１４が変形等するのを確実に抑えることができる。
【００３９】
また、支持突部１４の内側面１４Ａにおける孔軸方向の一方側の端部が、孔軸方向の一方側に向かうに従い漸次、ロッド軸方向に沿う取付面１１の反対側に向けて延びているので、防振装置２を防振装置用ブラケット１に固定する際に、連結筒部２１Ａの開口端縁２１Ｄが、支持突部１４の孔軸方向の一方側の端部に突き当たるのを抑えることが可能になり、防振装置２の防振装置用ブラケット１への固定作業を容易に行うことができる。
【００４０】
また、支持突部１４が、防振装置用ブラケット１において、取付面１１をロッド軸方向に挟む位置に各別に配置されているので、振動発生部から防振装置２に加えられるロッド軸方向に沿う両方向の外力を、一対の支持突部１４により、それぞれ受け止めさせることができる。これにより、防振装置２の防振装置用ブラケット１に対する締付力が緩むのを、より一層効果的に抑制することができる。
【００４１】
なお、本発明の技術的範囲は前記実施の形態に限定されるものではなく、本発明の趣旨を逸脱しない範囲において種々の変更を加えることが可能である。
例えば、上記実施形態においては、取付面１１と支持突部１４との接続部分に逃げ部１５が形成された構成を示したが、このような態様に限られない。防振装置用ブラケット１に逃げ部１５が形成されなくてもよい。
【００４２】
また、上記実施形態においては、支持突部１４が、孔軸方向、およびロッド軸方向の両方向に沿う断面視でロッド軸方向に沿う取付面１１側を向き、かつ孔軸方向に延びる内側面１４Ａを有する構成を示したが、このような態様に限られない。例えば支持突部１４は、前記断面視で孔軸方向の一方側に向けて突の曲線状に形成されてもよい。
【００４３】
また、上記実施形態においては、支持突部１４の内側面１４Ａにおける孔軸方向の一方側の端部が、孔軸方向の一方側に向かうに従い漸次、ロッド軸方向に沿う取付面１１の反対側に向けて延びている構成を示したが、このような態様に限られない。支持突部１４の内側面１４Ａは、孔軸方向の全域にわたって、孔軸方向に真直ぐ延びてもよい。
【００４４】
また、上記実施形態においては、支持突部１４が、取付面１１をロッド軸方向に挟む位置に各別に配置されている構成を示したが、このような態様に限られない。支持突部１４は、取付面１１のロッド軸方向の一方側に1つだけ配置されてもよい。
また、本発明に係る防振装置２は、車両のエンジンマウントに限定されるものではなく、エンジンマウント以外にも適用することも可能である。例えば建設機械に搭載された発電機のマウントに適用することも可能であり、或いは、工場等に設置される機械のマウントに適用することも可能である。
【００４５】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４６】
１  防振装置用ブラケット
２  防振装置
１１  取付面
１２  挿入孔
１４  支持突部
１４Ａ  内側面
１５  逃げ部
１６  補強リブ
２１  第１ブッシュ
２１Ａ  連結筒部
２１Ｄ  開口端縁
２２  第２ブッシュ
２３  連結ロッド
【図１】
2019090516.tif 000003
【図２】
2019090516.tif 000004
【図３】
2019090516.tif 000005